(57)【特許請求の範囲】
【請求項１】
ラベル連続体の装着が可能なガイド部材と、前記ガイド部材の長手方向に沿って前記ラベル連続体を移動自在な第２の用紙ガイド部材と、前記ガイド部材に装着されたラベル連続体を挟み前記第２の用紙ガイド部材の対向位置に設けられるとともに、前記ガイド部材の長手方向で移動自在な第１の用紙ガイド部材と、前記ガイド部材とほぼ平行に設けられ、リボンの装着が可能な軸と、前記軸の長手方向に移動可能なリボン案内手段と、前記第２の用紙ガイド部材及びリボン案内手段を一体的に接合して形成した兼用ガイド部材と、前記兼用ガイド部材の第２の用紙ガイド部材及び前記第１の用紙ガイド部材を、ラベル連続体の側端部を挟持する方向、あるいはラベル連続体の側端部から外側へ広がる方向に連動させる連動手段と、を備え、前記ガイド部材にラベル連続体を装着した後、兼用ガイド部材をラベル連続体の側端部を挟持する方向に移動し、前記連動手段を介して前記第２の用紙ガイド部材及び第１の用紙ガイド部材をラベル連続体の側端部に当接させるとともにラベル連続体及びリボンを長手方向の中央部位に位置調整することを特徴とするラベル連続体及びリボンの位置決め装置。
【請求項２】
前記ガイド部材には、長手方向に沿って移動可能な第２または第１のスライド部材が備えられ、この第２または第１のスライド部材におのおの前記第２の用紙ガイド部材または第１の用紙ガイド部材が取り付けられることを特徴とする請求項１記載のラベル連続体及びリボンの位置決め装置。
【請求項３】
前記連動手段は、ピニオンと、このピニオンに歯合する一対のラックを備えており、かつ、前記一対のラックのおのおのに、前記第２または第１の用紙ガイド部材が取り付けられることを特徴とする請求項１および２記載のラベル連続体及びリボンの位置決め装置。
【発明の詳細な説明】
【０００１】
【発明の属する技術分野】
本発明は、特に片持ち構造によるラベルプリンタのラベル連続体及びリボンの位置決め装置に関するものである。
【０００２】
【従来の技術】
従来、片持ち構造によるラベルプリンタにおいて、ラベル連続体及びリボンの位置決め装置を備える例は少なく、筐体に片持ち状態に取付けられた供給軸に対し、ラベル連続体やリボンを奥まで押し込んで装着するようなラベルプリンタが一般的に知られている。
先ず、ラベル連続体やリボンの位置決め装置を備えない従来のラベルプリンタの説明を行うと、図９及び図１０に示すようなものが知られている。
【０００３】
ラベルプリンタ１は、筐体２に片持ち状態に取付けられたラベル供給軸３を備えており、このラベル供給軸３にラベル連続体４を筐体２側のストッパ１９に当接するまで押し込んで装着し、ガイドピン５を経てプラテンローラ６とサーマルヘッド７の間に前記ラベル連続体４を挿通し、ガイドピン８を経てラベル巻取り軸９に巻回する。
【０００４】
また、筐体２には、片持ち状態にリボン供給軸１０が取付けられており、このリボン供給軸１０に前記ラベル連続体４の幅ｗにほぼ見合う幅のカーボンリボン１１をストッパ２０に当接するまで押し込んで装着し、ガイドピン１２を経て先のラベル連続体４と同様、プラテンローラ６とサーマルヘッド７の間に挿通し、ガイドピン１３、１５を経てリボン巻取り軸１４に巻回する。
そして、プラテンローラ６を回転させることにより、プラテンローラ６とサーマルヘッド７に挟持されたラベル連続体４及びカーボンリボン１１が各々の供給軸３、１０から繰り出されながら、各々の巻取り軸９、１４に巻取られる途中で、サーマルヘッド７の熱によって溶融されたカーボンリボン１１がラベル連続体４に転写されて、必要情報がラベル連続体４に印字されるようになっている。
【０００５】
上述のような従来のラベルプリンタ１においては、ラベル連続体４及びカーボンリボン１１を各々の供給軸３、１０の筐体２側に設けられるストッパ１９、２０に当接するまで押し込んで装着するため、筐体２側の偏った位置に位置決めされることになった。前述したようにカーボンリボン１１をサーマルヘッド７の熱によって溶融させるようにしているので、サーマルヘッド７の熱効率や図示せぬスプリングによる圧力のバランスの関係からラベル連続体４及びカーボンリボン１１をサーマルヘッド７の幅方向（図１０の矢示Ｗ方向）の中央部位に位置決めしようとした。
【０００６】
しかしながら、ラベル連続体４及びカーボンリボン１１をサーマルヘッド７の中央部位に位置決めする作業は、手間が掛かるという問題点があった。即ち、ラベル連続体４の幅ｗの種類が異なるたびに、先ずラベル連続体４をサーマルヘッド７の中央部位に位置決めし、更に前記ラベル連続体４の幅ｗにほぼ見合う幅のカーボンリボン１１を前記ラベル連続体４の幅ｗよりずれないよう位置決めするものであり、別々に動かしての位置決めには時間が掛かり、かつ面倒なものであった。
【０００７】
【発明が解決しようとする課題】
本発明は以上のような諸問題に注目してなされたもので、ラベル連続体とカーボンリボンの双方を簡単、かつ同時に調整できるラベル連続体及びリボンの位置決め装置を提供することを課題とする。
【０００８】
【課題を解決するための手段】
本発明は、上記課題に注目してなされたものであって、ラベル連続体の装着が可能なガイド部材と、前記ガイド部材の長手方向に沿って前記ラベル連続体を移動自在な第２の用紙ガイド部材と、前記ガイド部材に装着されたラベル連続体を挟み前記第２の用紙ガイド部材の対向位置に設けられるとともに、前記ガイド部材の長手方向で移動自在な第１の用紙ガイド部材と、前記ガイド部材とほぼ平行に設けられ、リボンの装着が可能な軸と、前記軸の長手方向に移動可能なリボン案内手段と、前記第２の用紙ガイド部材及びリボン案内手段を一体的に接合して形成した兼用ガイド部材と、前記兼用ガイド部材の第２の用紙ガイド部材及び前記第１の用紙ガイド部材を、ラベル連続体の側端部を挟持する方向、あるいはラベル連続体の側端部から外側へ広がる方向に連動させる連動手段と、を備え、前記ガイド部材にラベル連続体を装着した後、兼用ガイド部材をラベル連続体の側端部を挟持する方向に移動し、前記連動手段を介して前記第２の用紙ガイド部材及び第１の用紙ガイド部材をラベル連続体の側端部に当接させるとともにラベル連続体及びリボンを長手方向の中央部位に位置調整することを特徴とする。
また、ガイド部材には、長手方向に沿って移動可能な第２または第１のスライド部材が備えられ、この第２または第１のスライド部材におのおの第２の用紙ガイド部材または第１の用紙ガイド部材が取り付けられるようにできる。
また、連動手段は、ピニオンと、このピニオンに歯合する一対のラックを備えており、かつ、一対のラックのおのおのに、第２または第１の用紙ガイド部材が取り付けられるようにできる。
【０００９】
【発明の実施の形態】
本発明に係るラベル連続体及びリボンの位置決め装置を図１ないし図８に基づき説明する。尚、従来技術で説明した部分については同一符号を付すに止め、重複説明は省略する。
【００１０】
本発明の位置決め装置は、ラベルプリンタ２７に装備されるものであって、主にガイド機構２８とロック機構２９から構成される。
【００１１】
主に図２及び図４に示すように、ガイド機構２８は、ラベル連続体４及びカーボンリボン１１を幅方向（図２、図４の矢示Ｗ方向）におけるサーマルヘッド７の中央部位に位置決めするよう案内するためのものであって、ガイド部材３０、スライド部材３１、連動部材３２、兼用ガイド部材３３より構成される。
【００１２】
ガイド部材３０は、一端を筐体２に固定し、他端を開放端とすることによって筐体２に対して片持ち状態に支持される。そして、開放端側よりラベル連続体４が装着できるようになっており、いわばラベル連続体４の「供給軸」の役目も果たせるようになっている。
ガイド部材３０には、その上面部の幅方向（図２、図４の矢示Ｗ方向）の左右及び側面部（図４の手前側の側面部及び対峙する側面部）の左右に、前記スライド部材３１用の長孔３４ａ、３４ｂが備えられている。また上面部の開放端側には、後述するロック機構２９のロックピン６５ｂ用の長孔３６が備えられている。これらの長孔３４ａ、３４ｂ、３６は、いずれも幅方向（図２、図４の矢示Ｗ方向）に沿った長孔になっている。
【００１３】
スライド部材３１は、第１のスライド部材３１ａ及び第２のスライド部材３１ｂから成り、第１及び第２のスライド部材３１ａ，３１ｂは、共に断面がほぼコ字状を呈しており、幅方向で移動自在となるよう前記ガイド部材３０に取付けられている。即ち、コ字状断面の内側面でガイド部材３０の上面部を覆うように配し、ガイド部材３０の側面側の長孔３４ｂを挿通させたピン３７をスライド部材３１に固着することにより、スライド部材３１はガイド部材３０の上面部より少し浮いた状態に取付けられて、幅方向での移動が円滑となるものである。
また、第１のスライド部材３１ａには、第１の用紙ガイド部材４０が取り付けられている。
【００１４】
次に、主に図５及び図６により「連動手段」としての連動部材３２を説明する。
連動部材３２は、主に、ピニオン（歯車）３８と、このピニオン３８に歯合する一対のラック３９ａ、３９ｂより成る。ラック３９ａ、３９ｂは、前記ガイド部材３０上面部の長孔３４ａを挿通したピン５１を介して各々第１のスライド部材３１ａ、第２のスライド部材３１ｂに固着されている。
そして、連動部材３２の働きにより第１及び第２のスライド部材３１ａ、３１ｂは、お互いに内側方向、即ち、ラベル連続体４の側端部を挟持する方向、あるいはラベル連続体４の側端部から外側へ広がる方向の、相反する方向に連動して移動するようになっている。
また、前記スライド部材３１がガイド部材３０に沿って移動するとき、連動部材３２の働きによって第１及び第２のスライド部材３１ａ、３１ｂが同じ距離だけ移動するようになっている。
【００１５】
次に、主に図４及び図６により兼用ガイド部材３３を説明する。
兼用ガイド部材３３は、主に、「ラベル連続体可動手段」としての第２の用紙ガイド部材５０及び「リボン案内手段」としてのリボンガイド部材４１から構成される。
【００１６】
用紙ガイド部材５０には、側面部に、前記第２のスライド部材３１ｂを移動自在に取付けたガイド部材３０の挿通が可能な開口４２が設けられており、この開口４２を前記筐体２に片持ち状態に固定されているガイド部材３０の開放端から挿通して、用紙ガイド部材５０を前記第２のスライド部材３１ｂに固着する。この固着により用紙ガイド部材５０が、前記片持ち状態のガイド部材３０に対し、第２のスライド部材３１ｂを介して移動自在に取付けられるものである。
【００１７】
リボンガイド部材４１には、カーボンリボン１１のリボン供給軸４３及びリボン巻取り軸４４用の挿通孔４５、４６があいている。
また、リボンガイド部材４１と前記用紙ガイド部材５０とは、接合部材４７によって一体となるよう取付けられている。このため、前述のように用紙ガイド部材５０がスライド部材３１ｂを介して移動すると、リボンガイド部材４１を含めた兼用ガイド部材３３の全体がガイド部材３０に対して移動自在となるものである。
なお、リボン供給軸４３及びリボン巻取り軸４４は、共に、前記ガイド部材３０に対し、平行に設けられている。
【００１８】
また、４９は第１のガイドシャフトであり、この第１のガイドシャフト４９は、一端が筐体２に片持ち状態に固定され、他端はリボンガイド部材４１にあけられた挿通孔５２に挿通している。
【００１９】
更に、５３は第２のガイドシャフトであり、この第２のガイドシャフト５３は、一端が筐体２に片持ち状態に固定され、他端はリボンガイド部材４１の下部に取付けられたローラ５４に当接している。
【００２０】
そして、前記第１及び第２のガイドシャフト４９、５３共に、前記兼用ガイド部材３３の全体が前記ガイド部材３０に対して円滑に移動するための補助の役目を果たすようにされている。
【００２１】
次に、主に図５ないし図７に基づきロック機構２９を説明する。
【００２２】
ロック機構２９は、前記ガイド機構２８によってラベル連続体４及びカーボンリボン１１がサーマルヘッド７の中央部位に位置決めされた状態を維持させるためのものであって、主に図５にて示すように、ロック操作部６０、連動部６１及びロック作動部６３から構成される。
【００２３】
主に図８で示すように、ロック操作部６０には、カム片５５と、このカム片５５の一端に取付けられカム片５５の上方に突出する第１のロックピン６５ａと、カム片５５の他端に取付ピン５６を介して取付けられカム片５５の下方に突出する第２のロックピン６５ｂと、が備えられている。
【００２４】
そして、主に図６にて示すように、第２のロックピン６５ｂは、用紙ガイド部材４０、前記第１のスライド部材３１ａの孔５９及びガイド部材３０の長孔３６、ラック３９ａを挿通し、その先端をガイド部材３０の裏面でスプリング６６と取付部材６７により固定されている。
【００２５】
また、前記カム片５５を前記第１のスライド部材３１ａ上に、取付ることによって、ロック操作部６０は、ガイド部材３０に対して移動自在なスライド部材３１ａに連動して幅方向Ｗで移動自在となるように取付けられることになる。
【００２６】
また、第１のロックピン６５ａを倒す（図８の想像線位置）と、カム片５５が取付ピン５６を中心に回動して第２のロックピン６５ｂは下方へ押され、逆に第１のロックピン６５ａを引き起こす（図８の実線位置）と、カム片５５が回動して第２のロックピン６５ｂは、上方に引張られるようになっており、第１のロックピン６５ａの起伏によって第２のロックピン６５ｂは上下動するものである。
【００２７】
更に、第２のロックピン６５ｂの先端の取付部材６７は、後述する連動部６１にピン６８を介して接続されている。
【００２８】
連動部６１は、主に図５ないし図７に示すように、連結杆６９、第１の連動片７０、第２の連動片７１及び連杆片７２から成る。
【００２９】
連結杆６９は、断面がほぼＤ字形状を呈しており、ここに前記第１の連動片７０及び第２の連動片７１が摺動自在に嵌合されている。
そして、第１の連動片７０の突出した一端は、前記第２のロックピン６５ｂ先端の取付部材６７のピン６８と係合しており、前記第２のロックピン６５ｂが第１のロックピン６５ａの起伏によって上下動するのに伴って、下方へ押されたり上方へ引張られるものである。この第１の連動片７０の上下の動きは、連結杆６９へ回動運動として伝達されるものである。
【００３０】
一方、第２の連動片７１の突出した一端は、連杆片７２を介してロック作動部６３のリンク７３と接続されており、前記連結杆６９の回動運動は連動片７１、連杆片７２を介してロック作動部６３側へ直線動として伝達される。
【００３１】
ロック作動部６３は、主に、前記リンク７３、連結部材７４、拡開片７５、ロック部材７６から構成される。
【００３２】
リンク７３は、一端が兼用ガイド部材３３の接合部材４７に回動自在に取付けられ、他端は連結部材７４にピン７７を介して接続されている。またリンク７３の上下方向の中ほどに前記連動部６１の連杆片７２が接続され、この連杆片７２が前述したように直線動すると、兼用ガイド部材３３に取付けられたリンク７３は一端を起点として回動する。
【００３３】
連結部材７４の一端は、前述したようにリンク７３のピン７７と接続され、他端は、拡開片７５と接続されている。そして、前述したリンク７３の回動は連結部材７４を介して、拡開片７５へ直線動として伝達されるようになっている。
【００３４】
ロック部材７６は、ペンチのような形状を呈して一端が作動すると他端が締め付け・解放されるようになっており、一端の開口部７８には前記拡開片７５が取付けられ、他端には前述のガイドシャフト４９が嵌合している。そして、拡開片７５が開口部７８から外側（図５の右方向）へ向けて引張られると開口部７８が広がり他端はすぼまって締め付けられ、また拡開片７５が開口部７８から内側へ押されると他端は広がって解放されるようになっている。
【００３５】
上述の構成で、サーマルヘッド７の中央部位にラベル連続体４とカーボンリボン１１を位置決めするには、先ず兼用ガイド部材３３または第１のスライド部材３１ａを手で持って幅を広げる方向に移動し、ガイド部材３０にラベル連続体４を装着する。
【００３６】
そして、兼用ガイド部材３３または第１のスライド部材３１ａを手で持って先とは逆に幅を狭める方向に移動すると、第１のスライド部材３１ａに固着された第１の用紙ガイド部材４０と兼用ガイド部材３３の第２の用紙ガイド部材５０がラベル連続体４に当接して停止する。この時、連動部材３２を介して第１の用紙ガイド部材４０が固定される第１のスライド部材３１ａと、兼用ガイド部材３３が固定される第２のスライド部材３１ｂは同じ距離移動するため、サーマルヘッド７の中央部位にラベル連続体４が位置きめされることになる。
【００３７】
次に、リボン供給軸４３に沿ってカーボンリボン１１を移動し、リボンガイド部材４１に押し付けるようにして装着する。このときリボンガイド部材４１が、先のラベル連続体４の位置決めに連動して位置決めされているため、カーボンリボン１１は、前記位置決めされたラベル連続体４と同様サーマルヘッド７の中央部位に位置決めされ、しかもラベル連続体４の幅方向の位置に対しずれることなく装着できるものである。
【００３８】
位置決めの後、ロック操作部６０の第１のロックピン６５ａを引き起こすことにより連動部６１を介してロック作動部６３のロック部材７６がすぼまる作動を行って、ガイドシャフト４９を締め付けるため、兼用ガイド部材３３は位置決めされた状態から広がることなくロックされることになる。
【００３９】
上述のように、ラベル連続体４とカーボンリボン１１を装着後、兼用ガイド部材３３または第１のスライド部材３１ａを手で持ってせばめ、ラベル連続体４に当接させるだけで、サーマルヘッド７の中央部位にラベル連続体４とカーボンリボン１１の双方が位置決めされるので、装着の操作が簡単に行えるものである。
【００４０】
【発明の効果】
本発明は、以上説明したように、ガイド部材にラベル連続体を装着した後、兼用ガイド部材をラベル連続体の側端部を挟持する方向に移動し、前記連動手段を介して第２の用紙ガイド部材及び第１の用紙ガイド部材をラベル連続体の側端部に当接させることによりラベル連続体及びリボンを長手方向の中央部位に位置決めでき、ラベル連続体及びリボンの位置調整が不要で、装着の手間がかからず簡単であるという効果がある。
【図面の簡単な説明】
【図１】本発明に係るラベル連続体及びリボンの位置決め装置を備えたラベルプリンタの側面説明図
【図２】同、図１中、矢示II方向から見た説明図
【図３】同、図２中、矢示III 方向から見た連動部材部分の説明図
【図４】同、ガイド機構の斜視説明図
【図５】同、ロック機構の斜視説明図
【図６】同、ガイド機構及びロック機構の分解斜視図
【図７】同、ロック機構のロック及びロック解除状態の作動の一部を示す側面説明図
【図８】同、ロック操作部のロック及びロック解除状態の作動の一部を示す斜視図
【図９】ラベル連続体及びリボンの位置決め装置を備えない、従来のラベルプリンタの側面説明図
【図１０】同、図９中、矢示Ｘ方向から見た平面説明図
【符号の説明】
Ｗ      幅方向
２      筐体
４      ラベル連続体
６      プラテンローラ
７      サーマルヘッド
９      ラベル巻取り軸
１１    カーボンリボン
２７    ラベルプリンタ
２８    ガイド機構
２９    ロック機構
３０    ガイド部材
３１    スライド部材
３１ａ  第１のスライド部材
３１ｂ  第２のスライド部材
３２    連動部材
３３    兼用ガイド部材
４０    第１の用紙ガイド部材
４１    リボンガイド部材
４３    リボン供給軸
４４    リボン巻取り軸
５０    第２の用紙ガイド部材
６０    ロック操作部
６１    連動部
６３    ロック作動部
６５    ロックピン
６５ａ  第１のロックピン
６５ｂ  第２のロックピン
６９    連結杆
７０    第１の連動片
７１    第２の連動片
７６    ロック部材
７８    開口部
【図１】
0003658064.tif 000002
【図２】
0003658064.tif 000003
【図３】
0003658064.tif 000004
【図４】
0003658064.tif 000005
【図５】
0003658064.tif 000006
【図６】
0003658064.tif 000007
【図７】
0003658064.tif 000008
【図８】
0003658064.tif 000009
【図９】
0003658064.tif 000010
【図１０】
0003658064.tif 000011